(57)【要約】      （修正有）【課題】別体の付属品を伴わず、蓋体を肉厚にしたり蓋体の一部を補強したりする必要もなく、縦置き時に斜めに傾けずとも転倒しにくい縦置き可能な調理器を提供すること。【解決手段】調理器１００は、調理板１５０，１６０、載置台１１０および可動支持脚１１６を備える。載置台は、調理板を載置する。可動支持脚は、載置台の側面に設けられる。そして、この可動支持脚は、調理板側に突出する突出状態と、収納状態とを切り換えることができる。【選択図】図３
2018201666.tif 000002
【特許請求の範囲】
【請求項１】
調理板と、
前記調理板を載置する載置台と、
前記載置台の側面に設けられ、調理板側に突出する突出状態と、収納状態とを切り換えることができる可動支持脚と
を備える、調理器。
【請求項２】
前記可動支持脚が収納状態にあるとき前記可動支持脚の側方に隣接するように前記載置台の側面に設けられる固定支持脚をさらに備える
請求項１に記載の調理器。
【請求項３】
前記可動支持脚の前記突出状態を仮固定する仮固定機構をさらに備える
請求項１または２に記載の調理器。
【請求項４】
前記調理板は、底板部と、前記底板部の縁から上側に向かって延びると共に平面視において前記底板部を囲うように設けられる周壁部とを有し、
前記周壁部に載置可能な蓋体をさらに備え、
前記可動支持脚は、前記突出状態であるとき、前記調理板の前記周壁部には当接するが、前記蓋体には当接しない
請求項１から３のいずれか１項に記載の調理器。
【請求項５】
前記可動支持脚は、収納状態であるとき、前記載置台の下面よりも上側に位置する面を有する
請求項１から４のいずれか１項に記載の調理器。
【発明の詳細な説明】
【技術分野】
【０００１】
本発明は、調理器に関する。
【背景技術】
【０００２】
過去に「縦置き可能なホットプレート」が提案されている。このような縦置き可能なホットプレートとしては、例えば、本体および蓋体の両方に縦置き用の固定支持脚が設けられるもの（以下「両側縦置き用固定脚付きホットプレート」という。）（例えば、特開２０１４−１００２８４号公報、特開２０１３−２５５６５２号公報、特開２０１３−２５２３３７号公報、特開２０１３−２４８２１４号公報、特開２０１３−２０８２０９号公報等参照。）や、本体にのみ縦置き用の固定支持脚が設けられるもの（以下「本体側縦置き用固定脚付きホットプレート」という。）（例えば、特開２００４−３１３２５９号公報等参照）、縦置きにしたときに蓋の反対側に傾斜させる固定支持脚が本体に設けられるもの（以下「本体側斜め縦置き用固定脚付きホットプレート」という。）（例えば、特開２００６−２４７４０８号公報、特開２００４−３５０７２３号公報等参照）、収納スタンドや収納ホルダーを利用するもの（以下「縦置き収納部材付きホットプレート」という。）（例えば、特開２００５−２２４２６０号公報、特開２００５−２１１５５６号公報等参照）が存在する。
【先行技術文献】
【特許文献】
【０００３】
【特許文献１】特開２０１４−１００２８４号公報
【特許文献２】特開２０１３−２５５６５２号公報
【特許文献３】特開２０１３−２５２３３７号公報
【特許文献４】特開２０１３−２４８２１４号公報
【特許文献５】特開２０１３−２５２３３７号公報
【特許文献６】特開２００４−３１３２５９号公報
【特許文献７】特開２００６−２４７４０８号公報
【特許文献８】特開２００４−３５０７２３号公報
【特許文献９】特開２００５−２２４２６０号公報
【特許文献１０】特開２００５−２１１５５６号公報
【発明の概要】
【発明が解決しようとする課題】
【０００４】
ところで、両側縦置き用固定脚付きホットプレートは、縦置きした際に、比較的薄く作られている蓋体にも相当の荷重がかかるため、蓋体の変形が懸念される。このため、このようなホットプレートでは、蓋体の肉厚を適度に厚くしたり、荷重がかかりやすい箇所を補強したりする必要があり、原料コストが嵩むおそれがある。また、通常、ホットプレートではプレート（調理板）が本体よりも重く、縦置きしたときに重量バランスが悪くなる。特に、平形状のプレートや、焼き肉用の波板プレート、たこ焼きプレート等、複数種類のプレートが付属されるものは必然的にその傾向が強くなる。このため、本体側縦置き用固定脚付きホットプレートは、プレート側に転倒しやすいという欠点がある。また、本体側斜め縦置き用固定脚付きホットプレートは、本体側縦置き用固定脚付きホットプレートを改良したものであって、本体側縦置き用固定脚付きホットプレートよりも転倒しにくくなっているが、本体側縦置き用固定脚付きホットプレートよりも縦置時の幅が広くなるため、本体側縦置き用固定脚付きホットプレートよりも広い収納スペースを必要とする欠点がある。また、縦置き収納部材付きホットプレートでは、収納スタンドや収納ホルダーが別体として付属されているため、収納スタンドや収納ホルダーを紛失するおそれがある。
【０００５】
本発明の課題は、別体の付属品を伴わず、蓋体を肉厚にしたり蓋体の一部を補強したりする必要もなく、縦置き時に斜めに傾けずとも転倒しにくい縦置き可能な調理器を提供することにある。
【課題を解決するための手段】
【０００６】
本発明の一局面に係る調理器は、調理板、載置台および可動支持脚を備える。載置台は、調理板を載置する。可動支持脚は、載置台の側面に設けられる。そして、この可動支持脚は、調理板側に突出する突出状態と、収納状態とを切り換えることができる。なお、この可動支持脚は、収納状態から突出状態になるとき又は突出状態から収納状態になるとき、回動してもよいし、スライドしてもよい。また、この可動支持脚は、複数個設けられることが好ましいが、１つであってもかまわない。また、この調理器が平面視において略長方形である場合、可動支持脚は長手側の側面に設けられるのが好ましいが、短手側の側面に設けられてもよい。さらに、この可動支持脚は、横置き時の調理器の最高点よりも前に出ないことが好ましい。これは、調理器の収納幅の拡張を避けるためである。
【０００７】
この調理器では、載置台（本体）に可動支持脚が設けられる。このため、この調理器では、支持脚を設けるために別体の付属品を用いる必要がない。また、この調理器では、可動支持脚が調理板側に突出する突出状態をとることができる。このため、この調理器では、調理板（プレート）の荷重を可動支持脚のみで受けることができると共に、本体側縦置き用固定脚付きホットプレートよりも転倒しにくくなっている。したがって、この調理器では、蓋体に支持脚を設ける必要もなければ、縦置き時に斜めに傾ける必要もない。よって、この調理器では、蓋体を肉厚にしたり、蓋体の一部を補強したりする必要がない。以上より、この調理器は、別体の付属品を伴わず、蓋体を肉厚にしたり蓋体の一部を補強したりする必要もなく、斜めに傾けなくても安定的に縦置きすることができる。
【０００８】
なお、上述の調理器は固定支持脚をさらに備えることが好ましい。固定支持脚は、可動支持脚が収納状態にあるとき可動支持脚の側方に隣接するように載置台の側面に設けられることが好ましい。固定支持脚が存在することにより調理器の蓋体側と載置台側の重量バランスを分散して受けることができるからである。
【０００９】
また、上述の調理器は仮固定機構をさらに備えることが好ましい。仮固定機構は、可動支持脚の突出状態を仮固定する。可動支持脚の仮固定が可能であることにより、使用者が調理器を収納場所に縦置きする際、使用者は、可動支持脚を突出状態に維持するために手を使う必要がなく、簡便に調理器を縦置きすることができる。
【００１０】
また、上述の調理器において、調理板は、底板部および周壁部を有することが好ましい。周壁部は、底板部の縁から上側に向かって延びると共に平面視において底板部を囲うように設けられる。また、この際、調理器は、周壁部に載置可能な蓋体をさらに備えることが好ましい。可動支持脚は、突出状態であるとき、調理板の周壁部には当接するが、蓋体には当接しない。このため、この調理器では、調理板（プレート）の荷重を可動支持脚で受けることができ、より安定な縦置き構造を形成することができると共に、調理板（プレート）の荷重により蓋体が変形するおそれをなくすことができる。
【００１１】
また、上述の調理器において、可動支持脚が収納状態であるとき、可動支持脚は、載置台の下面よりも上側に位置する面を有することが好ましい。可動支持脚が収納状態において調理器を持ち上げることなく可動支持脚の下側に指を入れて可動支持脚を引き出すことができるからである。
【図面の簡単な説明】
【００１２】
【図１】本発明の実施の形態に係るホットプレートの外観斜視図である。本図では、可動支持脚が収納状態となっている。
【図２】本発明の実施の形態に係るホットプレートの外観斜視図である。本図では、可動支持脚が突出状態となっている。
【図３】本発明の実施の形態に係るホットプレートを縦置きしたときのホットプレートの外観斜視図である。
【図４】本発明の実施の形態に係るホットプレートを縦置きしたときのホットプレートを背面側から見たときの図である。
【図５】本発明の実施の形態に係るホットプレートの右側面図である。本図では、可動支持脚が収納状態となっている。
【図６】図５のＡ−Ａ断面図である。
【図７】本発明の実施の形態に係るホットプレートの右側面図である。本図では、可動支持脚が突出状態となっている。
【図８】図７のＡ−Ａ断面図である。
【図９】本発明の実施の形態に係るホットプレートの可動支持脚付近のケース本体の上側部分を一部切除した際の枠体切除箇所付近の部分拡大平面図である。本図では、可動支持脚が収納状態となっている。
【図１０】本発明の実施の形態に係るホットプレートの可動支持脚付近のケース本体の上側部分を一部切除した際の枠体切除箇所付近の部分拡大平面図である。本図では、可動支持脚が収納状態から突出状態または突出状態から収納状態に遷移する途中の状態が示されている。
【図１１】本発明の実施の形態に係るホットプレートの可動支持脚付近のケース本体の上側部分を一部切除した際の枠体切除箇所付近の部分拡大平面図である。可動支持脚が突出状態となっている。
【図１２】本発明の実施の形態に係るホットプレートの２つの可動支持脚のうち１つの可動支持脚のみを突出状態にして縦置きしたときのホットプレートの外観斜視図である。
【図１３】変形例（Ａ）に係るホットプレートの２つの可動支持脚のうち１つの可動支持脚のみを突出状態にして縦置きしたときのホットプレートの外観斜視図である。
【図１４】変形例（Ａ）に係るホットプレートの２つの可動支持脚のうち１つの可動支持脚のみを突出状態にして縦置きしたときのホットプレートを背面側から見たときの図である。
【発明を実施するための形態】
【００１３】
＜本発明の実施の形態に係るホットプレートの構成＞
本発明の実施の形態に係るホットプレート１００は、縦置き収納することができるホットプレートであって、図１、図５および図６に示されるように、主に、本体１１０、平形プレート１５０、プレート枠１６０、穴開き波形プレート１６３、たこ焼きプレート１６５、温度調節器（図示せず）および蓋体１９０から構成される。以下、これらの構成要素について詳述する。
【００１４】
（１）本体
本体１１０は、図１、図５および図６に示されるように、主に、本体ケース１１５、温度調節器接続部１１９、ヒータ１１２、遮熱板１１３、一対のロックレバー１１４、回動式取っ手（図示せず）、縦置き用可動支持脚１１６および縦置き用固定支持脚１１７から構成される。以下、これらの構成要素について詳述する。
【００１５】
（１−１）本体ケース
本体ケース１１５は、図１および図４に示されるように、主に、ケース本体１１５ａおよび横置き用固定支持脚１１５ｂから構成される。ケース本体１１５ａは、上方に開口する略直方体の樹脂成形体であって、その内部に遮熱板１１３およびヒータ１１２を収納する。また、このケース本体１１５ａには、正面側に温度調節器接続部１１９が取り付けられ、左側面に回動式取っ手が回動自在に取り付けられている。また、このケース本体１１５ａには、正面側および背面側それぞれに（奥行方向の両側に）ロックレバー１１４が回動自在に取り付けられている。また、このケース本体１１５ａには、右側面に２つの縦置き用可動支持脚１１６が回動自在に取り付けられていると共に、２つの縦置き用固定支持脚１１７が形成されている。横置き用固定支持脚１１５ｂは、ケース本体１１５ａの底壁裏側四隅に配置されており、図４に示されるように、ケース本体１１５ａの底壁裏側面から下方に向かって延びている。
【００１６】
（１−２）温度調節器接続部
温度調節器接続部１１９は、主に、一対の端子部（図示せず）、差込口（図示せず）および感熱棒挿通孔（図示せず）から構成される。一対の端子部は、ヒータ１１２に連結されると共に、差込口の奥から外方に向かって延びている。なお、この温度調節器接続部１１９は、ヒータ１１２と共に、本体１１０から取り外すことができるようになっている。なお、温度調節器が温度調節器接続部１１９に接続されるとき、感熱棒挿通孔には、温度調節器から延びる感熱棒（図示せず）が挿通される。
【００１７】
（１−３）ヒータ
ヒータ１１２は、Ｍ字型ヒータである。なお、このヒータ１１２は、上述の通り、その両端部が温度調節器接続部１１９の端子部に連結されている。また、このヒータ１１２は、設置状態において略水平な仮想平面に沿って配置されている。
【００１８】
（１−４）遮熱板
遮熱板１１３は、ヒータ１１２により生じる熱からテーブル等を保護する板であって、図６に示されるように、ヒータ１１２の下方に配置されている。また、この遮熱板１１３は、ヒータ１１２の輻射熱を積極的に反射する形状とされている。
【００１９】
（１−５）ロックレバー
ロックレバー１１４は、図１および図４に示されるように、略門形状の部材であって、本発明の実施の形態に係るホットプレート１００を収納する際に利用される。このロックレバー１１４は、上述の通り、ケース本体１１５ａの正面側および背面側それぞれに回動自在に取り付けられており、ホットプレート１００が横置きされている状態において水平方向に延びる軸を中心として上下方向に回動することができる（図５に示されるホットプレート１００の両脇に表示される円弧矢印参照）。
【００２０】
また、このロックレバー１１４には、天板１１４ａの幅方向両端部の裏側に受け部（図示せず）が形成されている。そして、この受け部が蓋体１９０の係止部（図示せず）の爪部（図示せず）に係り止めされることによって、ロックレバー１１４と蓋体１９０の係止部とがロック構造を形成する。なお、以下、説明の便宜上、ロックレバー１１４の受け部と蓋体１９０の爪部とを合わせて「ロック機構」と称する場合がある。なお、このロック機構のロック方向は、平面視において奥行方向と平行である。ちなみに、このロック機構では、蓋体１９０の係止部側に押し込もうとする方向の外力がロックレバー１１４に対して付加されると比較的容易にロック構造が形成され、逆に外方に倒そうとする外力がロックレバー１１４に対して負荷されると比較的容易にロック状態が解除される。
【００２１】
（１−６）回動式取っ手
回動式取っ手は、使用者が本発明の実施の形態に係るホットプレート１００を縦状態（図３参照）にして持ち運ぶときに利用されるものであって、上述の通り、ケース本体１１５ａの左側面に回動自在に取り付けられている。この回動式取っ手は、上下方向に回動することができる。
【００２２】
（１−７）縦置き用可動支持脚
縦置き用可動支持脚１１６は、上述の通り、ケース本体１１５ａの右側面側に２つ設けられている。この縦置き用可動支持脚１１６は、図９〜図１１に示されるように主に本体部１１６ａ、軸部１１６ｂおよび補強リブＲｂから形成されており、図２および図７に示されるように一対の縦置き用固定支持脚１１７の間に回動可能に配設されている。なお、この縦置き用可動支持脚１１６は、縦置き時のホットプレート１００の姿勢安定性を考慮して奥行き方向（長手方向）の両端付近に配設されている。
【００２３】
本体部１１６ａは、略三角柱形状の中空構造体である。そして、この本体部１１６ａの内部には、縦置き時のホットプレート１００からかかる荷重を十分に受けることができるようにするために補強リブＲｂが設けられている。本体部１１６ａの正面上部には凹部ＣＶが形成されている。この凹部ＣＶは、このホットプレート１００が横置きされている場合において、縦置き用可動支持脚１１６が収納状態（図１に示される状態）であるとき下側を向き、縦置き用可動支持脚１１６が突出状態（図２に示される状態）であるとき上側を向く。縦置き用可動支持脚１１６が収納状態（図１に示される状態）であるとき、使用者は、この凹部ＣＶに指を差し込むことができる。このため、このホットプレート１００の使用者は、横置きにしたまま、縦置き用可動支持脚１１６を回動して突出状態にすることができる。また、縦置き用可動支持脚１１６が完全に突出状態になったとき、本体部１１６ａの段付部位が、プレート枠１６０の囲い壁部１６０ｂの上端の側面および上面に当接する（図４参照。）。すなわち、縦置き用可動支持脚１１６が完全に突出状態になった際、本体部１１６ａは、プレート枠１６０を直接支えることになる。なお、この本体部１１６ａは、縦置き用可動支持脚１１６が完全に突出状態になった際、蓋体１９０には一切接触しない形状とされている（図４参照。）。また、図４に示されるように、本体部１１６ａの下部では、先端部分が下側に突起している。このため、ホットプレート１００が縦置きされているとき、本体部１１６ａの下側の先端部位のみが接地することになる。また、図４に示される通り、縦置き用可動支持脚１１６の本体部１１６ａの最前箇所は、蓋体１９０の取っ手１９３の最高点よりも奥まっている。
【００２４】
軸部１１６ｂは、円柱状の部位であって、図９〜図１１に示されるように本体部１１６ａの上端部位から左右方向に向かって延びている。この軸部１１６ｂは、図９〜図１１に示されるように縦置き用固定支持脚１１７の軸受け部（図示せず）に挿通されている。このため、この縦置き用可動支持脚１１６は、縦置き用固定支持脚１１７に対して回動自在となっている。また、各軸部１１６ｂには、図９〜図１１に示されるように切り欠き部ＲＣ１，ＲＣ２が２箇所形成されている。なお、これらの切り欠き部ＲＣ１，ＲＣ２は、各軸部１１６ｂの先端の２つの角部分が切り落とされたような形状となっている。これらの切り欠き部ＲＣ１，ＲＣ２には、図９および図１１に示されるように、縦置き用固定支持脚１１７の内部に配設される爪付き板バネ部１１８ａ（後述）の爪部Ｎｐが嵌め込まれる。なお、以下、説明の便宜上、ＲＣ１の符号で示された切り欠き部を「第１切り欠き部」と称し、ＲＣ２の符号で示された切り欠き部を「第２切り欠き部」と称する。図９に示されるように、縦置き用可動支持脚１１６が完全に収納された状態になったとき、第１切り欠き部ＲＣ１に爪付き板バネ部１１８ａの爪部Ｎｐが嵌め込まれ、縦置き用可動支持脚１１６が係止（仮固定）される。一方、図１１に示されるように、縦置き用可動支持脚１１６が完全に突出した状態になったとき、第２切り欠き部ＲＣ２に爪付き板バネ部１１８ａの爪部Ｎｐが嵌め込まれ、縦置き用可動支持脚１１６が係止（仮固定）される。すなわち、縦置き用可動支持脚１１６の軸部１１６ｂの切り欠き部ＲＣ１，ＲＣ２と、縦置き用固定支持脚１１７の内部の爪付き板バネ部１１８ａは、係止機構（仮固定機構）Ｍｈを形成していると言える。
【００２５】
補強リブＲｂは、図７に示されるように縦方向に沿って一つ、横方向に沿って三つ形成されている。
【００２６】
（１−８）縦置き用固定支持脚
縦置き用固定支持脚１１７は、上述の通り、ケース本体１１５ａの右側面側に２つ形成されている。なお、各縦置き用固定支持脚１１７は、縦置き用可動支持脚１１６を挟んで両側に設けられている。この縦置き用固定支持脚１１７には、上述の通り、軸受け部が形成されていると共に爪付き板バネ部１１８ａが内蔵されている。
【００２７】
軸受け部は、上述の通り、縦置き用可動支持脚１１６の軸部１１６ｂを受けている。
【００２８】
爪付き板バネ部１１８ａは、樹脂製の部位であって、主に、爪部Ｎｐ（図９〜図１１参照。）およびアーム部Ｓｇ（図６および図８参照。）から形成されている。爪部Ｎｐは、上述の通り、縦置き用可動支持脚１１６の軸部１１６ｂに形成される切り欠き部ＲＣ１，ＲＣ２と係合することにより縦置き用可動支持脚１１６の収納時および突出時に縦置き用可動支持脚１１６を係止（仮固定）する。なお、この爪部Ｎｐは、アーム部Ｓｇの先端に形成されている。このアーム部Ｓｇは、下側の台座ＢＳ（図６および図８参照。）から上方に向かって延びており、上述の通り、爪部Ｎｐを縦置き用可動支持脚側に向かって付勢する板バネとして機能する。すなわち、縦置き用可動支持脚１１６の軸部１１６ｂの切り欠き部ＲＣ１，ＲＣ２が爪部Ｎｐと対向しない間は、爪部Ｎｐは、図１０に示されるように縦置き用可動支持脚１１６の軸部１１６ｂの先端面まで後退するが、縦置き用可動支持脚１１６の軸部１１６ｂが、切り欠き部ＲＣ１，ＲＣ２が爪部Ｎｐに対向するまで位置まで回転されると、アーム部Ｓｇが爪部Ｎｐを初期位置に戻し、その結果、爪部Ｎｐが切り欠き部ＲＣ１，ＲＣ２に係止される（図９および図１１参照。）。
【００２９】
また、図４に示されるように、縦置き用固定支持脚１１７の下面は、底面側から上側に向かうに従って上側に傾斜している。このため、ホットプレート１００が縦置きされているとき、縦置き用固定支持脚１１７の後端部位のみが接地することになる。
【００３０】
（２）プレート類
本発明の実施の形態に係るホットプレート１００では、上述の通り、プレート類として、平形プレート１５０、プレート枠１６０、穴開き波形プレート１６３、たこ焼きプレート１６５が用意されている。
【００３１】
平形プレート１５０は、平面視において略長方形状を呈する金属板であって、図６に示されるように、主に、底壁部１５０ａおよび囲い壁部１５０ｂから形成されている。囲い壁部１５０ｂは、図６に示されるように、底壁部１５０ａの外縁から上側に向かって延びている。この平形プレート１５０の長手方向の端部には握り手１５１ａが設けられている。
【００３２】
プレート枠１６０は、平形プレート１５０と同じ大きさの枠体であって、図６に示されるように、主に、枠壁部１６０ａおよび囲い壁部１６０ｂから形成されている。囲い壁部１６０ｂは、図６に示されるように、枠壁部１６０ａの外縁から上側に向かって延びている。このプレート枠１６０は、内部に穴開き波形プレート１６３およびたこ焼きプレート１６５を交換可能に収納する。このプレート枠１６０の長手方向の端部には握り手１６１ａが設けられている。なお、このホットプレート１００が収納状態とされるとき、図６に示されるように、平形プレート１５０の上にプレート枠１６０が載置され、穴開き波形プレート１６３およびたこ焼きプレート１６５は、プレート枠１６０に載置される。このとき、穴開き波形プレート１６３は、図６に示されるようにたこ焼きプレート１６５の上側に配置される。
【００３３】
（３）温度調節器
温度調節器は、略直方体の部品であって、本体部（図示せず）、感熱棒（図示せず）、電源コード（図示せず）および差込プラグ（図示せず）から構成される。以下、これらの構成要素について詳述する。
【００３４】
（３−１）本体部
本体部は、主に、筐体、一対の端子受け部（図示せず）、電源スイッチ（図示せず）、可変抵抗器（図示せず）、ダイヤル式の温度調節ツマミ（図示せず）、インジゲータランプ（図示せず）、感熱棒接続部（図示せず）およびサーモスタット（図示せず）から構成されている。なお、端子受け部、電源スイッチ、可変抵抗器、インジゲータランプ、感熱棒接続部およびサーモスタットはいずれも筐体に収められており、温度調節ツマミは筐体の外部に露出するように設けられている。
【００３５】
端子受け部は、本体部の感熱棒側に設けられる。そして、この端子受け部には、温度調節器接続部１１９の端子部が挿入される。なお、端子受け部に温度調節器接続部１１９の端子部が挿入されると、ヒータ１１２が通電可能な状態となる。
【００３６】
可変抵抗器のシャフトには、温度調節ツマミが取り付けられている。そして、温度調節ツマミには温度目盛が表示されており、使用者は、温度調節ツマミを回転させて温度目盛をインジゲータに合わせることによりヒータ１１２の出力を調節する。
【００３７】
また、可変抵抗器のシャフトには筐体内においてスイッチ片が取り付けられており、使用者が温度調節ツマミを少し回したところで電源が入ると共にインジゲータランプが点灯するようになっている。
【００３８】
感熱棒接続部には、感熱棒が接続されている。感熱棒接続部は、サーモスタットに通信接続されており、感熱棒から送信される温度検知信号をサーモスタットに定期的に送信する。
【００３９】
サーモスタットは、感熱棒により検知される温度（以下「検知温度」という）が温度調節ツマミの温度目盛に対応する温度（以下「設定温度」という）に達すると電源スイッチをオフにすると共にインジゲータランプを消灯し、検知温度が設定温度を下回ると再び電源スイッチをオンにすると共にインジゲータランプを点灯させる。
【００４０】
（３−２）感熱棒
感熱棒は、いわゆるサーミスタであって、本体部から突出している。なお、温度調節器が温度調節器接続部１１９に差し込まれた状態では、感熱棒の先端はプレート類の下に位置する。
【００４１】
（３−３）電源コードおよび差込プラグ
電源コードは、本体部から延びている。そして、その電源コードの先端には、外部電源接続用の差込プラグが取り付けられている。
【００４２】
（４）蓋体
蓋体１９０は、図５から図１１に示されるように、主に、本体１９５、一対の係止部１９７（図示せず）および取っ手１９３から構成される。
【００４３】
本体１９５は、平面視において略矩形を呈する鋼板等の金属製の板材であって、図５に示されるように側面視において奥行き方向の両端側に向かうに従って下方に湾曲し、図４に示されるように背面視において幅方向の両端側に向かうに従って下方に湾曲している。また、この本体１９５の中心部１９４は、図１に示されるように窪まされている。
【００４４】
係止部１９７は、主に、本体部１９７ａおよび爪部（図示せず）から構成されており、本体１９５の正面側部分および背面側部分に配設されている。なお、本体部１９７ａおよび爪部は、一体成形されている。ところで、この本体部１９７ａは、本体１９５の裏側から当板（図示せず）を介してビス（図示せず）により本体１９５に固定されている。また、本体部１９７ａは、平面視において、爪部が本体１９５の縁の外に位置するように位置決めされている。
【００４５】
取っ手１９３は、図１に示されるように、本体１９５の中心部１９４に配設されている。この取っ手１９３は、本体１９５の裏側からビス（図示せず）により本体１９５に固定されている。
【００４６】
＜本発明の実施の形態に係るホットプレートの収納方法＞
本発明の実施の形態に係るホットプレート１００は、以下の通りにして収納状態とされる。
先ず、本体１１０に平形プレート１５０が載置される。かかる場合、平形プレート１５０に穴開き波形プレート１６３か、たこ焼きプレート１６５が収納されていてもよい。
【００４７】
次に、平形プレート１５０の上側にプレート枠１６０が載置される。かかる場合、プレート枠１６０に穴開き波形プレート１６３か、たこ焼きプレート１６５が嵌め込まれていてもよく、さらにそのプレート１６３，１６５の上に残りのプレート１６３，１６５が載置されていてもよい。
【００４８】
そして、プレート枠１６０に蓋体１９０が載置された後、両方のロックレバー１１４が持ち上げられ、ロックレバー１１４の第１受け部が蓋体１９０の係止部１９７の爪部に係止される（すなわち、ロック機構がロック状態となる）。このとき、本体１１０、平形プレート１５０、プレート枠１６０および蓋体１９０が一体化される。そして、使用者は、収納状態となっている縦置き用可動支持脚１１６を引き出して、縦置き用可動支持脚１１６を、突出状態すなわち図２に示される状態にした後、回動式取っ手を把持してホットプレート１００を立て（図３、図４等参照。）、その状態でホットプレート１００を収納場所に収納する。なお、このとき、縦置き用可動支持脚１１６は係止機構Ｍｈにより係止されているため、縦置き用可動支持脚１１６が逆側に戻ってしまうことがない。
【００４９】
なお、このホットプレート１００では、図１２に示されるように、片側の縦置き用可動支持脚１１６が突出状態とされているが、もう片方の縦置き用可動支持脚１１６が収納状態のままである場合であっても縦置きが可能とされている。
【００５０】
＜本発明の実施の形態に係るホットプレートの特徴＞
（１）
本発明の実施の形態に係るホットプレート１００では、本体ケース１１５に縦置き用可動支持脚１１６が設けられている。このため、このホットプレート１００では、縦置き用支持脚を設けるために別体の付属品を用いる必要がない。また、このホットプレート１００では、縦置き用可動支持脚１１６がプレート側に突出する突出状態をとることができる。このため、このホットプレート１００では、プレートの荷重を本体１１０のみで受けることができると共に、本体側縦置き用固定脚付きホットプレートよりも転倒しにくくなっている。したがって、このホットプレート１００では、蓋体１９０に縦置き用支持脚を設ける必要もなければ、縦置き時に斜めに傾ける必要もない。よって、このホットプレート１００では、蓋体１９０を肉厚にしたり、蓋体１９０の一部を補強したりする必要がない。以上より、このホットプレート１００は、別体の付属品を伴わず、蓋体１９０を肉厚にしたり蓋体１９０の一部を補強したりする必要もなく、斜めに傾けなくても安定的に縦置きすることができる。
【００５１】
（２）
本発明の実施の形態に係るホットプレート１００には、縦置き用固定支持脚１１７が設けられる。このため、このホットプレート１００では、縦置き用可動支持脚１１６と縦置き用固定支持脚１１７とで蓋体側と本体側の重量バランスを分散して受けることができる。
【００５２】
（３）
本発明の実施の形態に係るホットプレート１００には、縦置き用可動支持脚１１６の係止機構Ｍｈが設けられている。このため、このホットプレート１００の使用者は、ホットプレート１００を収納場所に縦置き収納する際、縦置き用可動支持脚１１６を突出状態に維持するために手を使う必要がなく、簡便にホットプレート１００を縦置き収納することができる。
【００５３】
（４）
本発明の実施の形態に係るホットプレート１００では、縦置き用可動支持脚１１６が突出状態にあるとき、縦置き用可動支持脚１１６の本体部１１６ａの段付部位が、プレート枠１６０の囲い壁部１６０ｂの上端の側面および上面に当接する。このため、このホットプレート１００では、プレートの荷重を縦置き用可動支持脚１１６で直接受けることができ、より安定な縦置き構造を形成することができる。
【００５４】
（５）
本発明の実施の形態に係るホットプレート１００では、縦置き用可動支持脚１１６が完全に突出状態になった際、縦置き用可動支持脚１１６の本体部１１６ａが蓋体１９０に一切接触しない。このため、このホットプレート１００では、プレートの荷重により蓋体１９０が変形するおそれをなくすことができる。
【００５５】
（６）
本発明の実施の形態に係るホットプレート１００では、縦置き用可動支持脚１１６の本体部１１６ａの正面上部には凹部ＣＶが形成されている。このため、このホットプレート１００では、縦置き用可動支持脚１１６が収納状態であるとき、使用者は、この凹部ＣＶに指を差し込むことができる。このため、このホットプレート１００の使用者は、横置きにしたまま、縦置き用可動支持脚１１６を回動して突出状態にすることができる。
【００５６】
（７）
本発明の実施の形態に係るホットプレート１００では、縦置き用可動支持脚１１６を突出状態とした際、縦置き用可動支持脚１１６の本体部１１６ａの下側の先端部位が接地すると共に、縦置き用固定支持脚１１７の後端部位が接地することになる。このため、収納スペースの床に少々の凹凸があってもこのホットプレート１００を安定的に縦置き収納することができる。
【００５７】
（８）
本発明の実施の形態に係るホットプレート１００では、縦置き用可動支持脚１１６の本体部１１６ａの最前箇所は、蓋体１９０の取っ手１９３の最高点よりも奥まっている。このため、このホットプレート１００は、縦置き収納時の収納幅の拡張を避けることができる。
【００５８】
＜変形例＞
【００５９】
（Ａ）
先の実施の形態に係るホットプレート１００では特に言及されなかったが、図１３および図１４に示されるホットプレート１００Ａのように、縦置き用可動支持脚１１６の正面上部に突起部１１６ｃを設けてもよい。この突起部１１６ｃは、縦置き用可動支持脚１１６の収納時において、縦置き用固定支持脚１１７の底面から突出する。このように縦置き用可動支持脚１１６に突起部１１６ｃを設けることにより、片側の縦置き用可動支持脚１１６Ａのみが突出状態とされている場合に、使用者がホットプレート１００の縦置きすることができないようにすることができ、使用者に対して両方の縦置き用可動支持脚１１６Ａを突出状態にするように促すことができる。
【００６０】
（Ｂ）
先の実施の形態に係るホットプレート１００では縦置き用可動支持脚１１６が収納状態である際、各縦置き用可動支持脚１１６が一対の縦置き用固定支持脚１１７で挟まれていたが、縦置き用可動支持脚の収納状態において縦置き用固定支持脚が一対の縦置き用可動支持脚に挟まれてもよい。かかる場合、縦置き用可動支持脚は独立していてもよいし（この場合、４つの縦置き用可動支持脚が存在することになる。）、連結棒等で連結されて互いに連動するようにしてもよい。
【００６１】
（Ｃ）
先の実施の形態に係るホットプレート１００では平形プレート１５０、プレート枠１６０、穴開き波形プレート１６３およびたこ焼きプレート１６５が用意されていたが、プレートは平形プレート１５０のみであってよいし、プレート枠１６０、穴開き波形プレート１６３およびたこ焼きプレート１６５のセットのみであってもよいし、プレート枠１６０および穴開き波形プレート１６３のセットのみであってもよいし、プレート枠１６０およびたこ焼きプレート１６５のセットのみであってもよい。かかる場合、ロックレバー１１４の高さを調整するだけでよい。
【００６２】
（Ｄ）
先の実施の形態に係るホットプレート１００では縦置き用可動支持脚１１６および縦置き用固定支持脚１１７は補強リブ付きの中空構造体であったが、縦置き用可動支持脚１１６および縦置き用固定支持脚１１７は中実体であってもよい。
【００６３】
（Ｅ）
先の実施の形態に係るホットプレート１００には縦置き用可動支持脚１１６が設けられたが、本体ケースの右側面側に垂直面を形成する等して、縦置き用固定支持脚１１７を省いてもよい。
【００６４】
（Ｆ）
先の実施の形態に係るホットプレート１００では縦置き用可動支持脚１１６および縦置き用固定支持脚１１７が各２つ設けられたが、縦置き用可動支持脚１１６および縦置き用固定支持脚１１７は各１つ設けられてもよいし、各３つ以上設けられてもよい。なお、縦置き用可動支持脚１１６および縦置き用固定支持脚１１７が各１つ設けられる場合、それらは本体ケース１１５の奥行き方向（長手方向）中央に設けられるのが好ましい。
【００６５】
（Ｇ）
先の実施の形態に係るホットプレート１００では回動により縦置き用可動支持脚１１６が収納状態から突出状態、突出状態から収納状態となることができたが、縦置き用可動支持脚が本体１１０の底面側から蓋体側に向かってスライド移動することにより収納状態から突出状態になってもよい。
【００６６】
（Ｈ）
先の実施の形態に係るホットプレート１００では２つの縦置き用可動支持脚１１６が独立していたが、連結棒等を介して２つの縦置き用可動支持脚を連結して連動するようにしてもよい。
【符号の説明】
【００６７】
１００      ホットプレート（調理器）
１１０      本体（載置台）
１１６      縦置き用可動支持脚（可動支持脚）
１１７      縦置き用固定支持脚（固定支持脚）
１５０      平形プレート（調理板）
１６０ａ    枠壁部（底板部）
１６０ｂ    囲い壁部（周壁部）
１６０      プレート枠（調理板）
１９０      蓋体
Ｍｈ        係止機構（仮固定機構）
【図１】
2018201666.tif 000003
【図２】
2018201666.tif 000004
【図３】
2018201666.tif 000005
【図４】
2018201666.tif 000006
【図５】
2018201666.tif 000007
【図６】
2018201666.tif 000008
【図７】
2018201666.tif 000009
【図８】
2018201666.tif 000010
【図９】
2018201666.tif 000011
【図１０】
2018201666.tif 000012
【図１１】
2018201666.tif 000013
【図１２】
2018201666.tif 000014
【図１３】
2018201666.tif 000015
【図１４】
2018201666.tif 000016